【手続補正書】
【提出日】平成21年6月11日(2009.6.11)
【手続補正１】
【補正対象書類名】特許請求の範囲
【補正対象項目名】全文
【補正方法】変更
【補正の内容】
【特許請求の範囲】
【請求項１】
情報をユーザに提供するための表示領域を規定している第1のセットの電極区画であって、供給線をそれぞれともなう当該第１のセットの電極区画、及び第１のセットの電極区画の周りの領域を形成する背景の表示領域を規定している第2のセットの電極区画を有する複数の電極区画，並びに前記電極区画へ接続している前記供給線を一方の面に備えた第1の基板と，
第2の電極構成を備えた第2の基板と，
これら第1の基板と第2の基板との間に双安定型の表示媒体層とを
有する表示装置であって，
前記供給線の領域内の表示媒体層の視認度が，前記供給線を挟みこんでいる電極区画の領域中の表示媒体層の視認度と実質的に等しいように，各供給線が電極区画の間に挟まれている表示装置。
【請求項２】
前記第2の電極構成がコモン電極を有する，請求項1に記載の表示装置。
【請求項３】
前記双安定型の表示媒体層が電気泳動型の表示媒体層を有する，請求項1又は2に記載の表示装置。
【請求項４】
前記供給線を挟み込んでいる電極区画は前記第2のセットの電極区画であり，前記供給線は前記第1のセットの電極区画に接続されている，請求項1，2，又は3に記載の表示装置。
【請求項５】
前記第1のセットの電極区画及び第2のセットの電極区画は前記表示領域の略全てを満たしている，請求項1ないし4のいずれか一項に記載の表示装置。
【請求項６】
前記供給線の幅が当該供給線を取り囲んでいる前記電極区画の幅の5%より小さい，請求項1ないし5のいずれか一項に記載の表示装置。
【請求項７】
前記供給線を挟み込んでいる二つの前記電極区画の間のスペースが二つの当該電極区画の幅の10%より小さい，請求項1ないし6のいずれか一項に記載の表示装置。
【請求項８】
前記供給線を挟み込んでいる二つの前記電極区画の間の厚さ方向のスペースが前記二つの基板間のスペースの10%より小さい，請求項1ないし7のいずれか一項に記載の表示装置。
【請求項９】
供給線の幅と，当該供給線の各々の側のスペースとの合計の幅が3μm-20μmである，請求項1ないし8のいずれか一項に記載の表示装置。
【請求項１０】
請求項1ないし9のいずれか一項に記載の表示装置，及び記憶装置を有するスマートカード。
【請求項１１】
ユーザへ情報を提供するための表示領域を規定している第1のセットの電極区画であって、それぞれ供給線をともなう当該第１のセットの電極区画，電極区画に接続している供給線、及び電極区画の周りの領域を形成する背景の表示領域を規定している第2のセットの電極区画を一方の面に備えた第1の基板，並びに第2の電極構成を備えている第2の基板を有する双安定型の表示装置を動作させる方法であって，
表示されるべきイメージに従って選択された第１のセットの電極区画のグループの近傍内において前記イメージを表示するための所望の光学的な状態に前記表示装置を駆動するために，一部の前記表示領域内の第1のセットの電極区画の前記グループと第2の電極構成との間に第1の相対電圧を印加し，第2のセットの電極区画と第2の電極構成との間に第2の相対電圧を印加するステップを有し，
当該方法は更に，第2のセットの電極区画の間に挟まれている各供給線を用いて，前記グループの電極に電圧を供給することを含む方法。
【請求項１２】
前記一部の表示領域は表示領域全面を有する，請求項11に記載の方法。
【請求項１３】
前記第1の相対電圧及び前記第2の相対電圧を印加する前に，前記第1のセットの電極区画及び前記第2のセットの電極区画を用いて，少なくとも一部の表示領域を第1の光学的状態にするための初期化ステップを行うことを含む，請求項11又は12に記載の方法。
【請求項１４】
前記初期化ステップは，前記第1のセット及び第2のセットの電極区画と前記第2の電極構成との間に初期化相対電圧を印加することを含む，請求項13に記載の方法。
【請求項１５】
前記初期化相対電圧は，第1の電圧を前記第2の電極構成に印加し，第2の電圧を前記第1のセット及び前記第2のセットの電極区画に印加することによって得られ，前記第1の相対電圧は，前記第2の電圧を前記第2の電極構成及び前記グループの電極区画にかけることによって得られ，前記第2の相対電圧は前記第2の電圧を前記第2の電極構成に印加し，前記第1の電圧を前記第2のセット電極区画に印加することによって得られる，請求項14に記載の方法。
【請求項１６】
前記第1の光学的な状態は前記所望の光学的な状態を有し，前記第2の相対電圧は前記表示を前記所望の光学的な状態から正反対の光学的な状態へと切替えるよう選択される，請求項11から15のいずれか一項に記載の方法。
【請求項１７】
前記第2の電極構成は，前記第1の電圧と前記第2の電圧との間のコモン電圧に固定され，前記第1の相対電圧及び前記第2の相対電圧は前記第1の電圧及び前記第2の電圧を印加することによって得られる，請求項11から16のいずれか一項に記載の方法。
【請求項１８】
前記第1の相対電圧及び前記第2の相対電圧は，同じ極性で異なる大きさをもつ，請求項16に記載の方法。
【請求項１９】
前記第1の相対電圧の大きさは光学的な状態を切替えるには充分ではない，請求項18に記載の方法。
【請求項２０】
前記第2の電極構成の電圧は，前記第1の電圧及び前記第2の電圧の各々より高いか，より低いコモン電圧に固定され，前記第1の相対電圧及び前記第2の相対電圧は第1の電圧及び第2の電圧を印加することにより得られる，請求項18又は19に記載の方法。
【請求項２１】
前記第1の光学的な状態は，前記所望の光学的状態とは正反対の光学的状態である，請求項11から14のいずれか一項に記載の方法。
【請求項２２】
前記第2の電極構成の電圧は，前記第1の電圧と前記第2の電圧との間のコモン電圧に固定され，前記第1の相対電圧及び前記第2の相対電圧は第1の電圧及び第2の電圧をかけることにより得られる，請求項21に記載の方法。
【請求項２３】
前記第1の相対電圧及び前記第2の相対電圧をかける前に，ACパルスを前記第1のセットの電極区画，及び/又は第2のセットの電極区画に印加することを更に含む，請求項11から22のいずれか一項に記載の方法。
【請求項２４】
前記供給線の領域中の前記表示の状態が，前記第2のセットの電極区画から誘起されたクロストークの結果，前記供給線を挟み込んでいる第2のセットの電極区画の領域の表示状態と同じである，請求項11から23のいずれか一項に記載の方法。
【手続補正２】
【補正対象書類名】明細書
【補正対象項目名】００２１
【補正方法】変更
【補正の内容】
【００２１】
本発明は双安定型の表示装置を動作させる方法もまた提供し，ユーザへ情報を提供するための表示領域を規定している第1のセットの電極区画であって、それぞれ供給線をともなう当該第１のセットの電極区画，電極区画に接続している供給線、及び電極区画の周りの領域を形成する背景の表示領域を規定している第2のセットの電極区画を一方の面に備えた第1の基板，並びに第2の電極構成を備えている第2の基板を有する双安定型の表示装置を動作させる方法であって，表示されるべきイメージに従って選択された第１のセットの電極区画のグループの近傍内において前記イメージを表示するための所望の光学的な状態に前記表示装置を駆動するために，一部の前記表示領域内の第1のセットの電極区画の前記グループと第2の電極構成との間に第1の相対電圧を印加し，第2のセットの電極区画と第2の電極構成との間に第2の相対電圧を印加するステップを有し，当該方法は更に，第2のセットの電極区画の間に挟まれている各供給線を用いて，前記グループの電極に電圧を供給することを含む。
【手続補正３】
【補正対象書類名】明細書
【補正対象項目名】００３６
【補正方法】変更
【補正の内容】
【００３６】
図2は，区画分けされた電極の断面を示し，幾つかの層中に前記電気泳動型のフォイルがその上に積層されていて，同電極は
‐区画分けされた電極のバックプレーンフォイルを接着する接着層と，
‐電気泳動層と，
‐ITO（インジウム錫酸化物）から形成されるコモン電極層と，
‐このコモン電極層を支持するプラスチック・フォイルとを有する。